(57)【要約】  【課題】缶商品を均一に効率よく加熱できるようにし、かつ誘導加熱コイルの安全性を確保した缶商品誘導加熱装置を備えた自動販売機を提供する。  【解決手段】ターミナル収納域６０１内は樹脂製の内部壁６０５によって中継端子部６０２ａ、６０２ｂ同士がショートしないように区画形成されているので、製造時の取り付けバラツキによる接触を阻止することができ、中継端子部６０２ａ、６０２ｂから商品誘導加熱制御部５０２に連結される接続配線６０３ａ、６０３ｂは２重絶縁構造に構成されているので、被覆強度をアップし、他の部品との接触による接続配線の損傷や、特に屋外設置における外気温度の変動による経年劣化での被覆面の破れ等を低減することができ、漏電やショートなどによる利用者への安全確保または誘導加熱装置１００の品質信頼性向上を確保することができる。【選択図】図１８
2008102581.tif 000002
【特許請求の範囲】
【請求項１】
商品を倒置姿勢で維持するコイルケースと、前記コイルケースで前記商品を回転させ、前記コイルケース内に有する誘導加熱コイルによって前記商品を加熱する誘導加熱装置において、前記コイルケース内は、前記誘導加熱コイルを収納するコイル収納域と、前記誘導加熱コイルと前記誘導加熱コイルを制御する制御装置とを接続する接続配線の中継端子部を収納するターミナル収納域とで区画形成されていることを特徴とする誘導加熱装置。
【請求項２】
中継端子部と制御装置とを接続する接続配線は２重絶縁構造で形成されていることを特徴とする請求項１に記載の誘導加熱装置。
【請求項３】
商品を倒置姿勢で維持するコイルケースと、前記コイルケースで前記商品を回転させ、前記コイルケース内に有する誘導加熱コイルによって前記商品を加熱する誘導加熱装置において、前記コイルケース内には前記誘導加熱コイルの温度を検知する２つの誘導加熱コイルセンサーが備えられ、前記誘導加熱コイルセンサーは前記誘導加熱コイルを挟んでそれぞれ配置されることを特徴とする誘導加熱装置。
【請求項４】
請求項１から３のいずれか一項の誘導加熱装置を備えたことを特徴とする自動販売機。
【発明の詳細な説明】
【技術分野】
【０００１】
本発明は自動販売機内に誘導加熱式の缶商品加熱装置を搭載し、誘導加熱式の缶商品加熱装置の安全性に関するものである。
【背景技術】
【０００２】
従来、誘導加熱装置で用いられる誘導加熱コイル自身を絶縁層で２重層に絶縁して安全な誘導加熱用コイルとしたものが例えば特許文献１に開示されている。
【０００３】
図１９は特許文献１に記載された、従来の誘導加熱装置の断面図である。
【０００４】
図に示すように、導体１にセラミック化シリコンテープ絶縁層２を巻きつけ、さらにその上にガラスクロステープ絶縁層３を巻きつけてコイルを形成し、このコイル全体にワニス層４を形成する。
【０００５】
このようにすることで、コイルの表面は十分な電気的絶縁性および機械的強度が得られ、ワニス層により耐湿性が得られる。
【０００６】
このように、本発明によれば誘導加熱コイルの電気絶縁性、耐熱性を有し、誘導加熱装置の信頼性、安全性を向上することができる。
【０００７】
また、図２０は、特許文献２に記載された誘導加熱式缶商品加熱装置の構成図である。
【０００８】
図に示すように、缶商品５は横置き姿勢でコイルカバー６に受容保持され、コイルカバー６の外周に巻装した誘導加熱コイル７と、通電する高周波電源８と、コイルカバー６に有した検出穴９に非接触式温度センサー１０を備え、温度センサー１０で検知した缶商品５の温度信号を取込んで、誘導加熱コイル７の通電制御を行う制御部１０ａとからなる。
【０００９】
図２０の動作説明をすると、温度センサー１０が缶商品５の初期温度を検出し、初期温度の温度信号を基に、適温まで加熱に要する通電時間を決定し、タイマ制御により誘導加熱を開始し、通電時間の経過直後は缶商品５の温度をチェックし、缶商品温度が販売適温に達していれば誘導加熱を停止し終了する。また通電時間が経過する以前の加熱中に、缶商品が異常過熱となり、販売適温をオーバーしたと判定すると即時に通電を打ち切る。
【００１０】
上記動作により、缶商品の異常過熱、加熱不足にも対処し、販売適温に誘導加熱して販売提供できる。
【特許文献１】特開昭５７−７０８３号公報
【特許文献２】特開平９−９１５２３号公報
【発明の開示】
【発明が解決しようとする課題】
【００１１】
しかしながら、上記特許文献１の誘導加熱装置の場合、誘導加熱コイルに絶縁層を設けて誘導加熱コイルそのものの機械的強度や電気絶縁性、耐熱性を強化するものであり、特に誘導加熱コイルに通電する高周波電源との間に接続される接続配線の構成については示唆されておらず、接続配線が損傷した場合に、短絡電流により誘導加熱コイルが使用不可能になったり、高電圧漏電により、利用者が触れて災害が発生するという問題点があった。
【００１２】
また、上記特許文献２の誘導加熱装置の場合、缶商品の適温化を実現するために、缶商品１０を載置するコイルカバー１１に備えた穴に温度センサーを配置し、缶商品温度を監視して適温販売を可能にするものであり、非接触式温度センサー１５は缶商品の温度を検出するものであり、誘導加熱コイル１２の温度を検知するものではなく、缶商品が過熱状態にあるか、加熱不足状態にあるかを監視するものであった。
【００１３】
したがって缶商品が過熱状態になった時、即座に誘導加熱コイル１２を加熱停止しても、誘導加熱コイル１２そのものが異常加熱により缶商品が過熱状態となっているのか、非接触式温度センサー１５が誤検知または適温検知できない状態になっているのか、原因が特定できないものであった。
【００１４】
また、誘導加熱装置により商品を連続加熱した場合、誘導加熱コイル１２の温度が上昇し、制限温度を超えた場合、誘導加熱コイル１２を覆う被覆層が溶け出し、まためくれ上がって、ショートし誘導加熱コイル１２の機能を不可能にしたり、また周辺部品等からの発煙、発火という安全性を確保できないという課題があった。連続加熱だけでなく、単一加熱の場合も、誘導加熱コイル１２の温度が制限温度を超える場合があり、この場合でも誘導加熱コイル１２の安全性を確保できないという課題があった。
【００１５】
本発明は上記従来の課題を解決するもので、誘導加熱装置を構成するコイルケース内で、誘導加熱コイルと制御装置を連結する接続配線を保護し、安全性を高めるとともに、缶商品を適温に検知する非接触温度センサーとは別に、誘導加熱コイルの温度を検知する検知手段を設けて、誘導加熱コイルの信頼性を確保した缶商品の誘導加熱装置およびこれを備えた自動販売機を提供することを目的とする。
【課題を解決するための手段】
【００１６】
上記従来の課題を解決するために、本発明の誘導加熱装置は、商品を倒置姿勢で維持するコイルケースと、前記コイルケースで前記商品を回転させ、前記コイルケース内に有する誘導加熱コイルによって前記商品を加熱する誘導加熱装置において、前記コイルケース内は、前記誘導加熱コイルを収納するコイル収納域と、前記誘導加熱コイルと前記誘導加熱コイルを制御する制御装置とを接続する接続配線の中継端子部を収納するターミナル収納域とで区画形成されている誘導加熱装置としたものである。
【００１７】
これによって、誘導加熱コイルと接続配線の中継端子部が接触、または中継端子部同士の接触を防止することができ、安全性を確保することができる。
【００１８】
また、本発明の誘導加熱装置は、商品を倒置姿勢で維持するコイルケースと、前記コイルケースで前記商品を回転させ、前記コイルケース内に有する誘導加熱コイルによって前記商品を加熱する誘導加熱装置において、前記コイルケース内には前記誘導加熱コイルの温度を検知する２つの誘導加熱コイルセンサーが備えられ、前記誘導加熱コイルセンサーは前記誘導加熱コイルを挟んでそれぞれ配置されるものである。
【００１９】
これによって、一方の誘導加熱コイルセンサーが適温検知不可能になっても、他方の誘導加熱コイルセンサーで適温検知が可能であり、コイルの異常加熱を２重の安全性でもって防止することができる。
【発明の効果】
【００２０】
本発明の誘導加熱装置およびこれを備えた自動販売機は、誘導加熱コイル自身の異常加熱の防止、および高電圧、高温部となる誘導加熱コイルと中継端子部とを区画配置することで、接触等による異常発熱や発煙、発火等を防止でき、誘導加熱コイルの安全性を確保することができる。
【００２１】
また、誘導加熱コイルの温度上昇を２つの配置の異なるセンサーで監視するので、一方が適温検知不可能になっても、他方の誘導加熱コイルセンサーで適温検知が可能であり、コイルの異常加熱保護に対して２重安全となる。
【発明を実施するための最良の形態】
【００２２】
請求項１に記載の発明は、商品を倒置姿勢で維持するコイルケースと、前記コイルケースで前記商品を回転させ、前記コイルケース内に有する誘導加熱コイルによって前記商品を加熱する誘導加熱装置において、前記コイルケース内は、前記誘導加熱コイルを収納するコイル収納域と、前記誘導加熱コイルと前記誘導加熱コイルを制御する制御装置とを接続する接続配線の中継端子部を収納するターミナル収納域とで区画形成されている誘導加熱装置としたものである。
【００２３】
これにより、高温高電圧となる誘導加熱コイルの収納域と中継端子部を介して誘導加熱コイルと接続配線を連結するターミナル収納域とを分離して区画形成するので、誘導加熱コイルと中継端子部との接触を抑制し、ショートや被覆の損傷により誘導加熱装置が使用不可能になることを阻止することができ、安全品質を高めた誘導加熱装置を提供できる。
【００２４】
請求項２に記載の発明は、請求項１に記載の発明において、中継端子部と制御装置とを接続する接続配線は２重絶縁構造で形成されている構成としたものである。
【００２５】
これにより、接続配線は、コイルケースや制御装置との接触による損傷が生じても漏電を低減することができ、または配線の曲げによる被覆部の強度を確保することができる。特に自動販売機に搭載した場合、屋外設置により雨水や埃の浸入、外気温度の変化に伴う接続配線の品質劣化に対しても、２重絶縁構造にすることで品質の信頼性を確保することができる。
【００２６】
請求項３に記載の発明は、商品を倒置姿勢で維持するコイルケースと、前記コイルケースで前記商品を回転させ、前記コイルケース内に有する誘導加熱コイルによって前記商品を加熱する誘導加熱装置において、前記コイルケース内には前記誘導加熱コイルの温度を検知する２つの誘導加熱コイルセンサーが備えられ、前記誘導加熱コイルセンサーは前記誘導加熱コイルを挟んでそれぞれ配置されることとしたものである。
【００２７】
これにより、一方の誘導加熱コイルセンサーが適温検知不能になっても、他方の誘導加熱コイルセンサーで適温検知でき、安定した誘導加熱コイルの温度制御を行い、缶商品の均一な加熱作用を実用的に確保できる。
【００２８】
請求項４に記載の発明は、請求項１から３のいずれか一項に記載の発明において、自動販売機に搭載したものであり、缶商品の加温劣化を防止でき、安定した加熱の信頼性を高めることができる。また誘導加熱装置のメンテナンス時の安全性を確保できる。
【００２９】
以下、本発明の実施の形態について、図面を参照しながら説明するが、従来例または先に示した実施の形態と同一構成については同一符号を付して、その詳細な説明は省略する。なお、この実施の形態によって本発明が限定されるものではない。
【００３０】
（実施の形態１）
図１は、本発明の実施の形態１を示す自動販売機の正面図である。図２は同実施の形態の自動販売機の縦断面図である。図３は同実施の形態の自動販売機における缶商品の誘導加熱装置の斜視図である。図４は同実施の形態の自動販売機における缶商品の誘導加熱装置の正面図である。図５は図４の矢視Ａの側面図である。図６は図４の矢視Ａの側面図である。図７は図４のＢ−Ｂ線の断面図である。図８は図４の矢視Ｃの側面図である。図９は同実施の形態の自動販売機における缶商品の誘導加熱装置の搬出機構を示す図である。
【００３１】
図において、自動販売機本体１１内には複数の商品収納室１１ａが区画構成されて種々の缶商品１８がそれぞれ収納されている。自動販売機本体１１の前面開口部には外扉１２が配置されている。外扉１２の上部に商品サンプル展示室１３、その下方に商品の広告などを掲示する広告パネル室１４と金銭投入部１５が横並びに備えられ、外扉１２の下部には選択された商品１８を排出する商品取出口１６が備えられている。そして商品取出口１６と隣り合わせに缶商品の誘導加熱装置１７が設置され商品収納室１１ａの下部から商品１８を受け入れるように関連づけられている。そして、誘導加熱装置１７の商品排出側は商品取出口１６と連通し、缶商品の誘導加熱装置１７で加熱された飲料等の流動性内容物に代表される缶商品１８は商品取出口１５から取り出せるように形成されている。
【００３２】
また、誘導加熱装置１７の高さ方向の配置位置に関しては、特に商品取出口１６よりも下方の位置に配置されるように構成されている。すなわち、上から順に商品収納室１１ａの商品を排出する下端部、商品取出口１６の商品の落下する底部、誘導加熱装置１７の商品が載置される下端部、という高さ方向の配置関係となっている。
【００３３】
以下に誘導加熱装置１７による加熱構造について説明する。
【００３４】
誘導加熱装置１７は、缶商品１８を倒置姿勢に受容保持する断面略円弧状（以下、樋状という）の商品受台１９と、商品受台１９の裏面に巻装した誘導加熱コイル２０と、商品受台１９の近傍にあり、下方から缶商品１８の周面に当接する回転手段としての下部ローラ２１と、下部ローラ２１の下方に下部ローラ駆動モータ２２が設置され、下部ローラ２１と下部ローラ駆動モータ２２がベルト２３によって連結されて下部ローラ２１を回転駆動させる構成となっている。
【００３５】
誘導加熱コイル２０と下部ローラ２１とは所定の間隔Ｌをおいて離間した位置に配置されており、誘導加熱コイル２０の配置されている領域内に下部ローラ２１が埋め込まれて存在するものではない。
【００３６】
また、誘導加熱コイル２０の形状は上記のような断面略円弧状や樋状に限るものではなく、缶商品１８を倒置姿勢に受容保持して適切な加熱を行えるような形状であればよい。
【００３７】
商品受台１９は樹脂などの非磁性材で形成され、商品受台１９の周縁部には裏面に向かってフランジ部１９ａを形成し商品受台１９の裏面には、このフランジ部１９ａに囲まれた空間部１９ｂを形成している。誘導加熱コイル２０はこの空間部１９ｂに形成されている。商品受台１９は誘導加熱装置１７を形成する外枠２４にビス等で固定されている。
【００３８】
なお、商品受台１９を形成する材料は、缶商品１８の回転動作と接触摺動することになるので、樹脂の場合であると、例えば低摩擦，低摩耗の特性を有する高密度ポリエチレン等の樹脂で形成することが好ましい。
【００３９】
誘導加熱装置１７は外枠２４で周囲を覆って形成されている。具体的には商品受台１９の背面を固定する背面壁２４ａ、商品受台１９の下面を固定する底壁２４ｂ、商品受台１９の両端側で誘導加熱装置１７の両側壁を形成する側壁２４ｃ、２４ｄ、背面壁２４ａに対応する前面壁２４ｅで覆われている。具体的には図のように外枠２４の側壁２４ａと底壁２４ｂに商品受台１９の裏側を固定できるように設置され、商品受台１９の上部が側壁２４ａに沿うように配置し、商品受台１９の下部が底壁２４ｂに載置するように設置されている。
【００４０】
また下部ローラ２１は内部に金属性の軸２１ａと、軸２１ａの外側に延長して樹脂製のローラ部材２１ｂを備え、ローラ部材２１ｂには軸２１ａ方向に延長してゴム部材２１ｃで覆われている。ゴム部材２１ｃの表面には細かな溝を形成していてもよい。
【００４１】
また下部ローラ２１の両端は軸２１ａによって誘導加熱装置１７の側壁２４ｃと側壁２４ｄに軸支され、軸２１ａの一端側と下部ローラ駆動モータ２２には滑車２５を備え、ベルト２３を介して連結されている。
【００４２】
上記のように、誘導加熱装置１７は外枠２４の上部に誘導加熱コイル２０を備えた樋状の商品受台１９を背面壁２４ａと底壁２４ｂに立て掛けるように固定し、商品受台１９の下端縁１９ｃ近傍に下部ローラ２１が備えられ、外枠２４の底壁２４ｂの下部は側壁２４ｃ、２４ｄと前面壁２４ｅに周囲を覆われ、内部に下部ローラ駆動モータ２２と誘導加熱コイル２０の発熱による熱を強制排熱するための排熱ファン２６が設置され、前面壁２４ｅには排熱ファン２６に対応する部分に排熱孔２７が形成されている。
【００４３】
また背面壁２４ａには上部にも孔２８を備え、この孔２８は誘導加熱コイル２０に対応する部分に形成されている。また少なくとも背面壁２４ａはアルミ製板で形成されている。
【００４４】
次に、自動販売機本体１１内における誘導加熱装置１７の配置構成について述べると、高さ方向の配置関係は上述のとおり、誘導加熱装置１７の缶商品１８が載置される下端部は商品取出口１６の底部よりも下方に位置し、概ね誘導加熱装置１７は商品取出口１６の下方に通常存在する外扉１２の空間スペースを活用して配置できるようにしている。
【００４５】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【００４６】
そして、このデッドスペースとなる空間内をほぼ活用して配置される誘導加熱装置１７は、缶商品１８の排出側が上向きとなるような傾斜姿勢で配置される。したがって、誘導加熱装置１７内から商品取出口１６内に缶商品１８を排出するためには缶商品１８の自重に抗して移動させる排出機構を別途必要としている。
【００４７】
以上のように構成された誘導加熱装置について、以下その動作、作用を説明する。
【００４８】
誘導加熱装置１７の商品受台１９に上部から缶商品１８が倒置姿勢で投入されると、下部ローラ２１は下部ローラ駆動モータ２２の駆動により滑車２５に引っ掛けたベルト２３を介して軸２１ａを回転させ、軸２１ａに圧入されたローラ部材２１ｂを同時に回転させて回転駆動している。
【００４９】
また、図５のように下部ローラ駆動モータ２２は下部ローラ２１が反時計回りに回転するように回転することで缶商品１８を回転させるとともに誘導加熱コイル２０に高周波電流を通電して缶商品１８を誘導加熱する。そして所定時間の加熱が経過すると誘導加熱コイル２０への給電、下部ローラ駆動モータ２２を停止する。
【００５０】
下部ローラ２１回転時、ゴム部材２１ｃが缶商品１８に当接しているので缶商品１８はグリップが効いて空回りすることなく回転することができ、局部加熱することなく適温に加熱することができる。また缶商品１８の下部が誘導加熱コイル２０と下部ローラ２１に挟まれており、図４のように、下部ローラ２１が反時計回りに回転するので缶商品１８は時計回りに回転し、図５のように商品受台１９が設置されているので缶商品１８は商品受台１７から飛び出すことはない。なお、缶商品１８の空回りが避けられるならばゴム部材２１ｃに代わる部材やゴム部材２１ｃなしで可能な材料で下部ローラ２１を形成してもよい。
【００５１】
また商品受台１９は倒置姿勢の缶商品１８より長く形成されている。これに伴って下部ローラ２１も少なくとも商品受台１９の長さ以上に長く備えられているので、缶商品１８が商品受台１７上のどこに倒置して設置しても、缶商品１８を固定することなく回転させることができ局部加熱を防ぐことができる。つまり、缶商品１８の長さに関わらず安定した加熱が行える。一方、商品受台１９の上方は開放して缶商品１８を規制する部材を有さず、回転により商品受台１９との下部接触面で均一加熱が可能であるため、商品の外径の大小にも左右されず加熱が行える。すなわち缶商品１８の大小に関わらず安定した加熱品質を提供できるものである。
【００５２】
なお、回転手段としての下部ローラ２１は品受台１９の長さ以上に軸方向長さが長いことが好ましいが、これより短い形態であっても、実質的な缶商品１８との当接面が下部ローラ２１の軸方向に十分確保できて安定した回転が行えるものであれば差し支えない。
【００５３】
限定されるものではないが、目安として受け入れが想定される缶商品１８の全長よりも下部ローラ２１の接触面の長さが長ければ、想定される缶商品１８の全長に対する商品受台１９の長手方向の寸法設計の合理的範囲より、缶商品１８の商品受台１９への受け入れ時に軸方向に位置ずれしても実質的には缶商品１８の全長方向の大部分を下部ローラ２１の接触面で受けることになり、安定した回転動作に大きな支障は生じない。
【００５４】
また、ゴム部材２１ｃに細かな溝が形成されていれば、さらに缶商品の空回りを低減し、回転駆動させることができる。
【００５５】
また缶商品１８の加熱時、誘導加熱コイル２０は発熱し背面壁２４ａにも熱が伝熱される。背面壁２４ａはアルミ製板であるので、鉄板よりは熱伝導率が低く伝熱を低減することができるが、十分ではないので、排熱ファン２６によって、背面壁２４ａの孔２８から外部の空気を取り入れ、底壁２４ｂに形成した底孔２９に連通させて、排熱孔２７から外部へ排熱し、背面壁２４ａの異常な加熱を防止することができる。また下部ローラ駆動モータ２２の発熱も排熱ファン２６によって低減することができるので、モータの信頼性を確保することができる。
【００５６】
一方、図４のように誘導加熱装置１７の商品受台１９の上部に姿勢制御部材３０が形成され、商品受台１９の幅方向（長さ方向）に移動自在に形成してもよい。姿勢制御部材３０は商品受台１９の上部に形成した上部ローラ３１に移動自在に挿入されている。上部ローラ３１は軸として金属性の軸３１ａと、軸３１ａの外側に幅方向に延長して樹脂製のローラ部材３１ｂで形成されている。ローラ部材３１ｂには軸３１ａ方向に溝３１ｃが形成されている。
【００５７】
上部ローラ３１は商品受台１９の上部で背面壁２４ａ側に商品受台１９の幅方向に延在して形成され、姿勢制御部材３０は樹脂製であり缶商品に接触しても傷つきがないようにしており、前面壁２４ｅ側に向かって水平に延びている。
【００５８】
上部ローラ３１の回転駆動は上部ローラ駆動モータ３２の駆動によって行われる。上部ローラ駆動モータ３２は商品受台１９の下方に備えた下部ローラ駆動モータ２２と横並びに配置している。そして上部ローラ３１と上部ローラ駆動モータ３２はベルト３３を介して連結されている。
【００５９】
以上のように構成された誘導加熱装置の姿勢制御機構について、以下その動作、作用を説明する。
【００６０】
誘導加熱装置１７の上方から缶商品１８が投入される。このとき倒置姿勢で商品受台１９にセットされれば良いが、商品受台１９に缶商品１８が立ち姿勢で投入される場合がある。このまま加熱すると、商品受台１９との接触部のみが局部加熱を起こし商品が破損したり適温に加熱されないおそれがある。
【００６１】
したがって、まず姿勢制御部材３０は初期位置である商品受台１９の端部に位置し、缶商品１８が誘導加熱装置１７に投入されると、缶商品１８の姿勢状態にかかわらず上部ローラ駆動モータ３２を駆動させ、上部ローラ３１が回転駆動し、姿勢制御部材３０が商品受台１９の端部から他方の端部へ溝３１ｃに沿って移動する。そして端部まで移動すると、上部ローラ駆動モータ３２を逆回転させ、上部ローラ３１を逆回転させて姿勢制御部材３０を初期位置まで戻す。そして初期位置まで戻ってきたことを確認した後、加熱動作を行う。
【００６２】
これによって缶商品１８が商品受台１９上に立ち姿勢であれば、姿勢制御部材３０の移動動作によって缶商品１８を商品受台１９上に倒すことができ、立ち姿勢による局部加熱を防ぐことができる。姿勢制御部材３０は缶商品１８が立ち姿勢にある場合、缶商品１８の中間よりも上部に当たるように配置されているので、商品が立ったまま商品受台１９上を引きずられることを防ぐことができる。
【００６３】
また姿勢制御部材３０は商品受台１９を幅方向に往復移動させるので、缶商品１９が倒れず初期位置に姿勢制御部材３０が戻ってこないと判断すると、加熱動作を行わないので缶商品１８の局部加熱や破損を防ぐことが出来る。
【００６４】
上記以外に姿勢制御部材３０を往復移動させず、片側移動によって制御し、次の加熱動作を判断してもよい。この場合、缶商品１８投入から加熱動作を行うまでの時間を短縮でき、利用者への待ち時間を低減することができる。
【００６５】
次に、誘導加熱装置１７による缶商品の搬出機構について説明する。
【００６６】
搬出機構の直接的な動作は、搬出部材３３によって商品受台１９で加熱された後の缶商品１８を缶の長手方向に滑らせて外部へ押し出すものである。搬出部材３３は樹脂製材料で形成され缶商品１８に接触しても傷つきがないようにしており、搬出部材３３の端部には溝を有した挿入孔３３ａを備え、下部ローラ２１を挿入している。下部ローラ２１も溝３４を軸方向に向かって延在して形成し、溝３４と溝３４の間の缶商品１８に当接する一連の当接部３５が軸方向に向かって延在し、当接部３５にはゴム部材３６で表面を覆われている。
【００６７】
下部ローラ駆動モータ２２にベルト３３を介して連結される下部ローラ２１の一端部分には溝３４やゴム部材３６が形成されていない搬出部材３３を待機させる待機部分３７を形成している。待機部分３７は下部ローラ２１を構成するローラ部材２１ｂと一体成形されており、待機部分３７の外径はローラ部材２１ｂの外径より小さく形成されている。また待機部分３７にはバネ部材３８が挿入されローラ部材２１ｂの端部に固定されている。
【００６８】
また、誘導加熱装置１７の商品受台１９の端部には開口部３９が形成され、開口部３９を開閉する上下方向に移動可能な開閉部材４０が形成されている。図８は図４の矢視Ｃの図である。開閉部材４０は背面壁２４ａと前面壁２４ｅに上下方向に形成されたレール４１に沿って上下方向に移動可能である。
【００６９】
開閉部材４０は樹脂製であり、略中央部に上下方向に開口した開口部４０ａを備え、開口部４０ａには開閉部材駆動モータ４２とラックピニオン式に移動するように歯４０ｂが形成されている。
【００７０】
開閉部材駆動モータ４２は上部ローラ駆動モータ３２や下部ローラ駆動モータ２２と同じ空間部に配置されている。
【００７１】
以上のように構成された誘導加熱装置の搬出機構について、以下その動作、作用を説明する。
【００７２】
誘導加熱装置１７の上方から缶商品１８が投入され、缶商品１８の姿勢制御機構による動作後、加熱動作が行われ、適温に加熱した後、商品受台１９から缶商品１８を外部へ搬出する搬出機構による動作が行われる。
【００７３】
加熱動作時、下部ローラ２１が回転することで当接部３５が缶商品１８に当接して缶商品１８を回転（自転）させるとともに誘導加熱コイル２０に高周波電流を通電して缶商品１８を誘導加熱する。これによって一連の当接部３５が缶商品１８に当接するので缶商品１８を自転させることができる。
【００７４】
またこの時、搬出部材３３は下部ローラ２１の回転により挿入孔３３内に形成された溝３４との関係によって、初期位置である待機部分３７側に移動するように構成されており、搬出部材３３は溝３４や当接部３５から離脱して待機部分３７に誘導される。搬出部材３３は待機部分３７内でスリップ（空回り）しながら維持される。下部ローラ２１の回転によって、さらに側壁２４ｃ側へ移動しようとする搬出部材３３はバネ部材３８によって商品受台１９側に付勢されるので側壁２４ｃにかかる荷重を低減することができる。またこのバネ部材３８を備えることによって、搬出部材３３の破損を防止できる。
【００７５】
そして加熱動作が終了し、下部ローラ２１が停止すると、次に缶商品１８の搬出動作を行う。このとき、下部ローラ駆動モータ２２に逆通電し、下部ローラ２１は加熱時の逆回転を行う。これによって搬出部材３３は下部ローラ２１の待機部分３７から溝３４に沿って移動し倒置姿勢の缶商品１８に当接し倒置姿勢のまま商品受台１９上を押して行くことで滑らせて外部へ搬出する。
【００７６】
搬出部材３３は商品受台１９の端部まで移動すると、下部ローラ２１を加熱時と同じ方向に回転させて、搬出部材３３を初期位置である待機位置３７に移動させる。
【００７７】
よって加熱後の缶商品１８を自動的に外部へ搬出することができるので利用者は誘導加熱装置１７内に手を入れて取り出す必要がなく安全を確保することができる。また商品搬出後、搬出部材３３を待機位置３７に戻すことで、商品がユニット内に詰っているかどうかを制御することができ、所定時間の間に待機位置３７に戻らない場合は商品詰まりとして異常判断することができる。
【００７８】
次に、誘導加熱装置１７内に缶商品１８が投入される前の待機時は、開閉部材４０は開口部４０ａを閉じて商品受台１９に触れられず、異物等が侵入することがないようにしている。また、缶商品１８の投入時に誘導加熱装置１７外に缶商品の一部が誤って飛び出すことも防止するほか、加熱中の装置内空間を開放せず加熱効率を高める役割もある。
【００７９】
缶商品１８が投入されると、姿勢制御機構により倒置姿勢に維持され、加熱動作によって商品を加熱し、その後下部ローラ２１を駆動させて搬出部材３３を初期位置から移動開始させると同時に、開閉部材駆動モータ４２を駆動させて開閉部材４０をレール４１に沿って開いて適温に加熱した缶商品１８を搬出する。開閉部材４０は開閉部材駆動モータ４２の駆動により上下方向に形成した歯４０ｂとラックピニオン式により下方へ移動して開口部３９を開いて商品受台１９から商品を搬出する。
【００８０】
このとき、開口部３９には搬出部材３３が移動しており、開口部３９を搬出部材３３で塞ぐことになり、缶商品１８の搬出時に開口部３９から内部に手や異物を挿入されるのを防ぐことができる。
【００８１】
そして搬出部材３３が初期位置方向へ移動する前に、先に開閉部材駆動モータ４２を駆動させ開閉部材４０で開口部３９を閉じて、その後搬出部材３３を初期位置に戻すことで一連の動作の中で、商品受台１９内に手や異物が入るのを阻止することができる。また安全性を確保できる。
【００８２】
また、同じ空間内に駆動モータを配置し、排熱ファン２６を備えて排熱しているので駆動モータの発熱によるモータの信頼性低下を阻止することができる。
【００８３】
そして、上述した誘導加熱装置１７と商品取出口１６の高さ方向の配置関係により、缶商品１８を誘導加熱装置１７外に排出する排出機構は、斜め上方に向けて傾斜設置された誘導加熱装置１７に設けられる商品受台１９の面上を商品１８の長手方向に斜め上方に摺動させて移動させるように構成さている。すなわち、搬出機構の搬出部材３３は斜め上方に缶商品１８を押し上げながら移動し、最後には開口部３９より商品取出口１６内に缶商品１８を落下排出させることができる。
【００８４】
したがって、このような構成をとることにより、誘導加熱装置１７を商品取出口１６に対して相対的に下方となるように配置しても缶商品１８の排出は支障なく可能であり、これにより、通常の自動販売機ではデッドスペースとなっている商品取出口１６の下方空間を有効に活用して誘導加熱装置１７を備えることができる。このため、従来技術のように商品収納室１１ａに利用する有効な庫内スペースを割いて誘導加熱装置１７を設ける必要がなく、庫内スペースを商品収納室１１ａに最大限有効活用できる。
【００８５】
さらに、誘導加熱装置１７は外扉１２側の商品取出口１６の下方空間に収容するものであるため、現状一般的に使用される自動販売機の商品収納室１１ａを含めた庫内側の構成や商品取出口１６を含む外扉１２の構成をほとんど変更せずに、新たに、誘導加熱装置１７を備えて商品の急速加熱機能を有する付加価値の高い自動販売機を実現できるメリットがある。
【００８６】
なお、本実施の形態においては、誘導加熱コイル２０と回転手段である下部ローラ２１とは所定の間隔Ｌをおいて離間した位置に配置されている構成のものを前提に説明したが、姿勢制御機構や搬出機構は、いずれもその機構そのものに特有の作用効果を有するものであるので、誘導加熱コイル２０と回転手段である下部ローラ２１の配置関係については、所定の離間関係にあるものでなくても構わず、誘導加熱コイル２０の領域と回転手段である下部ローラ２１の配設位置が重なり合うものでも組み合わせ構成が可能であり特有の効果を期待することができる。
【００８７】
次に、缶商品１８の温度を検知する温度検知手段である非接触式温度検知手段４３について説明する。
【００８８】
図４のように、前面壁２４ｅに非接触式温度検知手段４３を設置するホルダー４４をビス等で固定する。ホルダー４４内には非接触式温度検知手段４３（例えば赤外線センサー）が保持されている。
【００８９】
非接触式温度検知手段４３は商品受台１９の長手方向（幅方向）の略中間部で、下部ローラ２１近傍に配置されている。缶商品は下部ローラ２１に当接配置するので缶外径の大小にかかわらず缶商品と非接触式温度検知手段４３との距離はほぼ一定に保つことが出来る。したがって商品受台１９のどの位置に缶商品１８が倒置されても缶商品と一定の距離が保てるように配置することができる。
【００９０】
以上のように構成された誘導加熱装置の缶商品１８の検知手段について、以下その動作、作用を説明する。
【００９１】
商品受台１９に倒置姿勢に維持された缶商品１８は下部ローラ２１の回転により自転を行う。そして缶商品１８は非接触式温度検知手段４３によってその表面が所定温度になったことを検知したときに誘導加熱コイル２０への給電を停止し、回転駆動も停止される。したがって非接触式温度検知手段４３を下部ローラ２１近傍で商品受台１９の長手方向の略中間部に設置することで、缶商品の外径大小にかかわらず適温に加熱することができる。
【００９２】
（実施の形態２）
図１０は、本発明の実施の形態２の自動販売機における外扉の裏面斜視図である。図１１は、同実施の形態の自動販売機における缶商品の誘導加熱装置の斜視図である。図１２は、同実施の形態の自動販売機における誘導加熱装置の要部斜視図である。図１３は、同実施の形態の自動販売機における誘導加熱装置の要部斜視図である。図１４は、同実施の形態の自動販売機における誘導加熱装置の正面要部断面図である。図１５は、図１４の要部拡大図である。図１６は、同実施の形態の風路構成図である。図１７は、同実施の形態の要部斜視図である。図１８は、同実施の形態のコイルケース内の構成図である。
【００９３】
自動販売機本体１１や外扉１２に対する誘導加熱装置１００の配置関係は実施の形態１と同様であり、省略する。
【００９４】
また、誘導加熱装置１００の高さ方向の配置位置に関しては、実施の形態１と同様であり、商品誘導加熱制御部５０２の高さ方向に配置位置に関しては、商品取出口１６の下方の位置に配置されている。また、誘導加熱装置１００の左右方向の配置位置に関しては、硬貨を回収するコイン回収箱５０３と商品取出口１６との間に構成されている。
【００９５】
以下に誘導加熱装置１００による加熱構造について説明する。
【００９６】
誘導加熱装置１００は、缶商品１８を倒置姿勢に受容保持する断面略面取り形状の商品受台１０１と、商品受台１０１の裏面に巻装した誘導加熱コイル１０２と、商品受台１０１の近傍にあり、下方から缶商品１８の周面に当接する回転手段としての下部ローラ１０３と、下部ローラ１０３の下方に下部ローラ駆動モータ１１１が設置され、下部ローラ１０３と下部ローラ駆動モータがベルト（図示しない）によって連結され、下部ローラ１０３を回転駆動させる構成となっている。
【００９７】
誘導加熱コイル１０２と下部ローラ１０３とは実施の形態１と同様に所定の間隔Ｌをおいて離間した位置に配置されており、誘導加熱コイル１０２の配置している領域内に下部ローラ１０３が埋め込まれているものではない。
【００９８】
また、商品受台１０１や誘導加熱コイル１０２の形状は上記のように断面略面取り形状や樋状に限るものではなく、缶商品１８を倒置姿勢で受容保持して適切な加熱が行える形状であればよい。
【００９９】
商品受台１０１は表面が樹脂などの非磁性材で形成され、缶商品１８が接触して回転する部分には図１２のように略矩形状の強化ガラス板５００がはめ込まれている。缶商品１８が商品受台１０１に接触摺動するので、商品受台１０１面の削れや摩耗に優れたセラミックやガラスで形成されることが望ましい。特に上部の商品収納室１１ａから商品受台１０１に商品が落下してくるので、強化ガラス板５００で構成するのが望ましい。
【０１００】
また商品受台１０１は上記のように樹脂製のコイルケース１０１ａで構成され、缶商品と当接する部分は、コイルケース１０１ａに略矩形状に凹溝１１５を形成し、凹溝１１５に強化ガラス板５００がはめ込まれて構成され、コイルケース１０１ａの後方に誘導加熱コイル１０２が固定され、複数の略矩形状の磁性材料のフェライト１０４がコイルケース１０１ａの裏蓋となるコイルケース本体１０１ｂ内に固定配置され、商品受台１０１を構成している。コイルケース本体１０１ｂには誘導加熱コイル１０２の温度を検出する誘導加熱コイルサーミスタ１０５が配置されている。
【０１０１】
またコイルケース１０１ａ裏面に熱伝導シート１１６を貼付することで、誘導加熱コイル１０２の熱伝導率を高め、誘導加熱コイル１０２のコイル発熱温度を低減することができ、缶商品の加熱効率を高めることができると共に、誘導加熱コイル１０２の発熱による信頼性低下を阻止することができる。
【０１０２】
また、缶商品が上部の搬出部から商品受台１０１に搬送されたときの落下衝撃を熱伝導シート１１６が吸収するので、商品受台１０１の損傷を低減することができる。
【０１０３】
誘導加熱装置１００は外枠１０６で周囲を覆って形成されており、誘導加熱装置１００の上部に上記のような商品加熱部１００ａ、下部に下部ローラ１０３を駆動する下部ローラ駆動モータ１１１等が収納された駆動部１００ｂが形成されている。
【０１０４】
また下部ローラ１０３は両端を外枠１０６に構成された受け部１０７に支持されている。下部ローラ１０３の内部には、一端側のみに金属製の軸部１０３ａと、軸部１０３ａの内側に延長して樹脂製のローラ部材１０３ｂを備え、他端側はローラ部材１０３ｂが軸となって、受け部１０７に支持されている。このためローラ部材１０３ｂの両端部は同形状を構成しておらず、軸部１０３ａを外枠１０６に残して、ローラ部材１０３ｂのみが着脱自在に構成されている。
【０１０５】
ローラ部材１０３ｂは樹脂製の芯部材１０８と商品に直接接触して商品自身に回転力を与えるゴム部材１０３ｃとで構成され、ゴム部材１０３ｃは芯部材１０８に形成されたネジ切り部１０８ｃ間にらせん状に構成されている。
【０１０６】
またゴム部材１０３ｃはローラ部材１０３ｂの軸部１０３ａ方向に延長して芯部材１０８の外周面にらせん状に一体に構成されて、芯部材１０８は表面から中心方向に向かって複数の穴部１０３ｄが軸方向に延長して形成され、芯部材１０８の中心付近で隣合う穴部１０３ｄが連通するように別の連結穴部１０３ｅが形成され、芯部材１０８の内部で複数の穴部１０３ｄが連結穴部１０３ｅによって軸方向に連通する。
【０１０７】
そして芯部材１０８の軸方向にゴム部材１０３ｃを２色成形することで、穴部１０３ｄ、連結穴部１０３ｅ内にゴム部材１０３ｃが充填されるので、ローラ部材１０３ｂの回転駆動によって芯部材１０８表面からゴム部材１０３ｃのズレや剥がれが起きるのを低減でき、缶商品１８の回転動作を正常に行うことができる。
【０１０８】
またゴム部材１０３ｃが缶商品との摺動により磨耗や劣化による損傷等が起これば、片方の受け部１０７からローラ部材１０３ｂを外し、他方に構成された軸部１０３ａからローラ部材１０３ｂを引き抜くことができ、新しいローラ部材１０３ｂと交換することができる。
【０１０９】
また図１５で、芯部材１０８のゴム部材１０３ｃがらせん状に構成される部分は、芯部材１０８の突部１０８ａよりも一段下がった溝部１０８ｂとなって構成されており、溝部１０８ｂ内にゴム部材１０３ｃが形成されている。したがって芯部材１０８の軸方向にらせん状に構成されたゴム部材１０３ｃの側部の一部が突部１０８ａに覆われて形成されることになる。
【０１１０】
次に、自動販売機本体１１内における誘導加熱装置１００の配置構成について述べると、高さ方向の配置関係は上述のとおり、誘導加熱装置１００の缶商品１８が載置される下端部は商品取出口１６の底部よりも下方に位置し、概ね誘導加熱装置１００は商品取出口１６の下方に通常存在する外扉１２の空間スペースを活用して配置できるようにしている。
【０１１１】
商品取出口１６は、商品購入者の取り出し性を高めて腰を屈める負担を軽減するために通常、外扉１２の最下部にレイアウトせず、それよりも上部の適所に配置構成されるために、通常、商品取出口１６の下方にいわゆるデッドスペースとなる空間が存在するものである。
【０１１２】
そして、このデッドスペースとなる空間内をほぼ活用して配置される誘導加熱装置１００は、缶商品１８の排出側が上向きとなるような傾斜姿勢で配置される。したがって、誘導加熱装置１００内から商品取出口１６内に缶商品１８を排出するためには缶商品１８の自重に抗して移動させる排出機構を別途必要としている。
【０１１３】
また商品誘導加熱制御部５０２も商品取出口１６の下方にいわゆるデッドスペースとなる空間内を活用して配置され、また誘導加熱装置１００の近傍に配置されるので、高電圧部間の距離を短く構成でき、安全性を高めることができる。
【０１１４】
以上のように構成された誘導加熱装置１００について、以下その動作、作用を説明する。
【０１１５】
誘導加熱装置１００の商品受台１０１に上部から缶商品１８が倒置姿勢で投入されると、下部ローラ１０３は下部ローラ駆動モータ１１１によって実施の形態１のようにベルトを介して回転駆動している。
【０１１６】
利用者が自動販売機の外扉に構成されたホット商品を選択する商品選択ボタンを操作すると、この操作信号を、自動販売機１１の外扉１２裏面にあって商品取出口１６の上部に備えた自動販売機１１全体の主制御部５０１が受け、主制御部５０１とは独立配置し、商品取出口１６の下方に配置した商品誘導加熱制御部５０２に送信されて、誘導加熱コイル１０２に高周波電流を通電し、缶商品１８を自転回転させる下部ローラ１０３を回転駆動させる。そして自動販売機本体１１内に商品が劣化しない約３５℃程度にプレヒートされた商品が搬出手段（図示しない）から搬出されて商品受台１０１に倒置姿勢で投入され、缶商品１８を誘導加熱する。そして後述する非接触式温度検知手段１１０で適温検知し、誘導加熱コイル１０２への給電、下部ローラ１０３を停止する。
【０１１７】
下部ローラ１０３は回転時、ゴム部材１０３ｃが缶商品１８に当接しているので缶商品１８は商品受台１０１上で空回りすることなく回転でき、局部過熱することなく適温加熱できる。またゴム部材１０３ｃはローラ部材１０３ｂを構成する芯部材１０８内部に形成した穴部１０３ｄや連結穴部１０３ｅにも充填されて、らせん状に構成されているので、熱による劣化や缶商品１８の衝撃やこすれによるゴム部材１０３ｃの下部ローラ１０３に対するズレや剥がれを防止することができ、強度をアップし、また缶商品の空回りを低減し、局部過熱を防止できる。
【０１１８】
上記のようなズレや剥がれ、商品落下衝撃による変形や破損、経年劣化等で下部ローラ１０３を交換する場合は、受け部１０７を取り外すことで、下部ローラ１０３の一側が外れ、そして下部ローラ１０３のローラ部材１０３ｂを軸方向に引き抜くことで、他側の受け部１０７に軸部１０３ａを残した状態でローラ部材１０３ｂを取り外すことができる。そして新しいローラ部材１０３ｂを軸部１０３ａに挿入することで、交換が容易に可能となり、作業性を高めることができ、缶商品の適温加熱品質の信頼性を高めることができる。
【０１１９】
また、缶商品１８の回転により商品受台１０１の磨耗を低減または抑制するために、樹脂で成形されて商品受台１０１の商品と当接する部分となるところに強化ガラス板５００をはめ込んでいる。実施例では商品受台１０１となるコイルケース１０１ａの商品当接面に略矩形状の強化ガラス板５００を嵌めこんでいる。
【０１２０】
また商品受台１０１と下部ローラ１０３とは、実施の形態１と同様に、所定間隔Ｌをおいて離間した位置に配置され、誘導加熱コイル１０２の配置されている領域内に下部ローラ１０３が埋め込まれて存在するものではない。
【０１２１】
また、商品受台１０１を構成するコイルケース１０１ａの裏蓋となるコイルケース本体１０１ｂ内に配置される複数の略矩形状の第１のフェライト１０４は左右両側に間隔をおいて上下３段に並べて配置している。そして楕円形状に複数回略同心円状に巻かれた誘導加熱コイル１０２が、これら第１のフェライト１０４の上部に配置して、誘導加熱コイル１０２の略中心部となる中央空間部１０２ａが、左右両側に配置した第１のフェライト１０４の中央空間部１０４ａに対応配置し、誘導加熱コイル１０２の中央空間部１０２ａから第１のフェライト１０４の中央空間部１０４ａに亘って矩形状の第２のフェライト１１４を第１のフェライト１０４に対して略鉛直方向に挿入して配置することで、発生する磁束を商品側へ放出でき、缶の温度上昇度の効率をアップすることができる。また缶側に磁束もフェライト１０４に集中するようになり、商品への入力効率がアップし、商品の加熱効率を向上することができる。
【０１２２】
誘導加熱コイル１０２は、商品受台１０１の形状に沿って断面略面取り形状に構成されており、商品受台１０１に缶商品が接触する平面部分（強化ガラス板５００）に対応する平面部１０２ｂと折り曲げ部１０２ｃで構成されている。上下両端の折り曲げ部１０２ｃは、それぞれ略鉛直方向、略水平方向に延在して構成され、これに対応して商品受台１０１も構成されているので、上方から落下してくるか缶商品を受入れやすく、缶商品が折り曲げ部１０２ｃに対応する商品受台１０１の部分に当っても商品受台１０１内に受容保持できるので、缶商品のない状態で加熱動作するのを阻止することができる。
【０１２３】
第２のフェライト１１４は誘導加熱コイル１０２よりも、コイルケース１０１ａ面に向かって突出させると、さらに磁束を缶側へ放出でき、缶商品の加熱効率をさらに高めることができる。
【０１２４】
次に誘導加熱装置１００の商品受台１０１の上部に備えた姿勢制御部材２００については、実施の形態１と同様であり、構成や動作、作用は省略する。また姿勢制御部材２００を動作させる上部ローラ２０１の構成は、実施の形態２の下部ローラ１０３と同様であり省略する。
【０１２５】
次に誘導加熱装置１００による缶商品の搬出機構について説明する。
【０１２６】
搬出機構の動作は、搬出部材３００によって行われ、実施の形態１と同様の動作で商品を搬出するものであり、具体的には省略する。搬出部材３００は上記で説明した下部ローラ１０３の回転駆動によって下部ローラ１０３の軸方向に移動自在に構成されている。
【０１２７】
また、図１３で外枠１０６には、待機位置にある搬出部材３００を下部ローラ１０３の回転駆動に連動するように押出すプッシャー手段３０１が構成されている。プッシャー手段３０１は上部ローラ２０１と下部ローラ１０３の長手方向の側部に位置しており、プッシャー手段３０１は、一端が姿勢制御部材２００に、他端が搬出部材３００に係合し、搬出部材３００側には弾性部材３０２が備えられている。プッシャー手段３０１は板状部材で形成されていて、略中央部には回転軸部３００ａが形成され、姿勢制御部材２００または搬出部材３００が当接することで、回転軸部３００ａを中心にプッシャー手段３０１が回転可能に構成されている。
【０１２８】
誘導加熱装置１００は商品受台１０１の商品排出側が上方になるように傾斜配置しており、プッシャー手段３０１は商品受台１０１の下方側に構成されている。また商品受台１０１の傾斜配置に伴って上部ローラ２０１、下部ローラ１０３とも平行して傾斜配置で構成されているため、外力を受けない場合、プッシャー手段３０１の弾性部材３０２が配置される下端側は下部ローラ１０３から離れる方向で維持されている。
【０１２９】
またはプッシャー手段３０１は回転軸部３００ａにより重心が上部側の姿勢制御部材２００側になるように構成され、弾性部材３０２が下部ローラ１０３から遠ざかる方向に維持されているようにしてもよい。
【０１３０】
以上のように構成された搬出機構について、以下その動作、作用を説明する。
【０１３１】
缶商品が姿勢制御部材２００の動作によって商品受台１０１上に倒置姿勢に維持された後、加熱動作が行われ、適温加熱した後、搬出部材３００によって商品は商品受台１０１から外部へ搬出される動作が行われる。
【０１３２】
加熱動作時、下部ローラ１０３が回転してゴム部材１０３ｃが缶商品に当接して、缶商品を自転させ、このとき、誘導加熱コイル１０２に高周波電流を通電して、缶商品１８を誘導加熱する。
【０１３３】
また下部ローラ１０３が回転中、搬出部材３００は下部ローラ１０３のネジ切り部１０８ｃが構成されていない部分でスリップ（空回り）しながら待機し、移動しないように維持されている。このとき、プッシャー手段３０１の弾性部材３０２は搬出部材３００に当接しないように離れた位置で保持されている。加熱中、上部ローラ２０１は回転を停止しており、姿勢制御部材２００は待機位置で停止した状態で維持されている。姿勢制御部材２００の待機位置はプッシャー手段３０１の一端側の係合部に当接しない位置に停止している。
【０１３４】
そして加熱動作が終了し、下部ローラ１０３が停止すると、次に缶商品の搬出動作を行う。このとき、下部ローラ駆動モータ１１１に逆通電した下部ローラ１０３を逆回転させる。また上部ローラ２０１を回転駆動させて、上部ローラ２０１を回転させ、姿勢制御部材２００がプッシャー手段３０１の一端部を押し圧するまで駆動させる。これによって、プッシャー手段３０１が回転軸部３００ａを中心に回転し、他端側に構成された弾性部材３０２が搬出部材３００に接触し、弾性力によって搬出部材３００を下部ローラ１０３の軸方向に押出す。
【０１３５】
これによって搬出部材３００はスリップ状態を解除し、ネジ切り部１０８ｃとかみ合って下部ローラ１０３の回転により缶商品を外部へ搬出することができる。
【０１３６】
したがって加熱中、搬出部材３００は弾性部材３０２から、わずかな外力も受けないので、ネジ切り部１０８ｃの端面との接触によるカタカタ音などの異音が発生することがなく、スムーズに下部ローラ１０３を回転させることができる。
【０１３７】
搬出部材３００は商品受台１０１の端部まで移動すると、下部ローラ１０３を加熱時と同じ方向に回転させて搬出部材３００を初期位置である待機位置に移動させる。
【０１３８】
よって缶商品を自動的に外部へ搬出することができるので、利用者は誘導加熱装置１００内に手を入れて取出す必要がなく、安全の確保ができる。また搬出部材３００を待機位置に戻すことで、誘導加熱装置１００内に商品が詰まっているかを制御することができる。
【０１３９】
特に、誘導加熱装置１００が駆動されない間でも、定期的に搬出部材３００を所定区間往復移動させて、搬出部材３００が商品受台１０１の端部まで移動しない場合、または待機位置まで戻ってこない場合は内部に異物があると、異状判断し、誘導加熱装置１００で加熱処理を行う商品の商品選択ボタンを売り切れ状態にして、売れないように対応することで、誘導加熱装置１００の安全性を確保することができる。
【０１４０】
また、誘導加熱装置１００の商品受台１０１の端部には商品取出口１６に連通する開口部５０４が形成され、開口部５０４を開閉する上下方向に移動可能な開閉部材５０５が形成されている。開閉部材５０５の構造、動作および作用は実施の形態１と同様である。
【０１４１】
次に、誘導加熱コイル１０２を冷却する冷却風路構成について説明する。
【０１４２】
図１６のように商品加熱部１００ａの下方に駆動モータ等を収納する駆動部１００ｂが構成されている。
【０１４３】
駆動部１００ｂには送風ファン４００が収納されており、送風ファン４００から商品加熱部１００ａに向かって空気を送風するダクト４０１が構成されている。送風ファン４００は多翼ファンやターボファンと言われる軸に対して直角に、遠心方向に空気が流れる遠心型送風機であり、ダクト４０１は送付ファン４００の吐出口と商品加熱部１００ａの開口部４０２を連結して構成されている。
【０１４４】
そして、開口部４０２は商品受台１０１を構成する樹脂製のコイルケース１０１ａ内に連通するように風路構成され、具体的には、誘導加熱コイル１０２と第１フェライト１０４の間を空気が流れるように空間部４０３が形成され風路を構成している。すなわち、誘導加熱コイルの下方から上方に向けて空気を流す風路が構成されている。
【０１４５】
また駆動部１００ｂ内の送風ファン４００と下部ローラ駆動モータ１１１、上部ローラ駆動モータ１１２との位置関係は、送風ファン４００の吸込み口４００ａの近傍に下部ローラ駆動モータ１１１と上部ローラ駆動モータ１１２が配置されている。
【０１４６】
以上のように構成された冷却風路について、以下その動作、作用を説明する。
【０１４７】
送風ファン４００の運転により、駆動部１００ｂ内の空気を吸い込み、ダクト４０１を介してコイルケース１０１ａ内に空気を強制送風し、誘導加熱コイル１０２と第１フェライト１０４の間に空気を導くことで、特に誘導加熱コイル１０２を冷却し、その結果、商品受台１０１表面の冷却を行うことができ、また誘導加熱コイル１０２と第１フェライト１０４の間に風路を設けることで、誘導加熱コイル１０２と商品受台１０１との間隙を近接できるので、コイル温度上昇を低減でき、缶商品１８の加温効率を高めることができる。
【０１４８】
また、誘導加熱コイル１０２の表面を覆う被膜を絶縁温度（約１６０℃）以下に保つことができ、誘導加熱コイル１０２を冷却することができ、また商品受台１０１の表面温度も低くできるので、誘導加熱コイル１０２の破壊を抑制し、誘導加熱装置１００によるホット商品の連続加熱が可能となり連続販売が可能となる。したがって、販売促進に寄与する。
【０１４９】
送風ファン４００は、少なくとも加熱中は連続運転で制御されているが、誘導加熱装置１００が運転されていない時でも、常時連続運転することで、突然、誘導加熱装置１００による加熱運転が行われた場合でも、常に誘導加熱コイル１０２の安全性を維持することができる。
【０１５０】
そしてコイルケース１０１ａの上部背面で外枠１０６に形成された排気孔１１３から空気を外部へ排気することで、熱交換効率を高め誘導加熱コイル１０２の加温効率を高めることができる。
【０１５１】
また、送風ファン４００により、下部ローラ駆動モータ１１１と上部ローラ駆動モータ１１２で発生する熱を効率よく排除することができ、駆動部１００ｂ内が高温になるのを防止することができ、駆動部の信頼性を確保することができる。
【０１５２】
また、送風ファン４００による風路構成をコイルケース１０１ａ内のみに構成したが、一部の空気がコイルケース１０１ａの上面、すなわち商品受台１０１面に送風されるように風路を設けてもよく、これにより商品受台１０１面の温度を低下させるとともに、商品受台１０１面にゴミやほこり等が付着するのを防止することができる。具体的な風路構成として、ダクト４０１を途中で分岐させて、商品受台１０１と下部ローラ１０３間に設けられた隙間寸法Ｌの部分から空気が吹き出すように構成すればよい。
【０１５３】
次に、缶商品１８の温度を検知する温度検知手段である非接触式温度検知手段１１０について説明する。
【０１５４】
非接触式温度検知手段１１０（例えば赤外線センサー）は、商品受台１０１の長手方向（幅方向）の略中間部で、下部ローラ１０３近傍に配置されている。缶商品は下部ローラ１０３に当接配置するので缶外径の大小にかかわらず缶商品と非接触式温度検知手段１１０との距離をほぼ一定に保つことができる。
【０１５５】
また、非接触式温度検知手段１１０を商品受台１０１の長手方向の略中間部に配置するとしたが配置した商品受台１０１の長手方向の下部近傍に配置してもよく、略中間部から位置をずらすことで、缶表面温度の測定精度を向上させることができる。
【０１５６】
これは、缶商品に対する誘導加熱コイル１０２の位置関係で、缶商品の長手方向の中央部付近は商品受台１０１に対する誘導加熱コイル１０２の配置構成上、誘導加熱コイル１０２のほぼ中央部に位置するため、最も温度が高くなりやすく、缶商品の長手方向で端へ行くほど低くなる傾向がある。
【０１５７】
したがって、缶商品の中央部ほど缶表面温度の変化率が大きいので、幅広い温度範囲を精度よく検知できる非接触式温度検知手段１１０が必要になる。しかしながら、缶商品を適温に検知して加熱を制御できるように非接触式温度検知手段１１０の精度を高めるためには、測定温度範囲を狭くした非接触式温度検知手段１１０を用いて精度を高める必要があり、測定位置を缶商品の中央部からずらした位置、すなわち誘導加熱コイル１０２の端部に対応する位置となる商品受台１０１の長手方向の下部近傍に非接触式温度検知手段１１０を配置することで缶表面温度の測定精度を向上することができ、過熱によるやけど等の安全性を高め、またぬるめ商品による品質の低下を阻止することができる。
【０１５８】
また、図１８において商品受台１０１を構成するコイルケース１０１ａ内の構成について説明する。
【０１５９】
樹脂製のコイルケース本体１０１ｂ内は誘導加熱コイル１０２を収納するコイル収納域６００と、ターミナル収納域６０１とに左右に区画壁６０４によって区画形成され、ターミナル収納域６０１内には、誘導加熱コイル１０２と商品誘導加熱制御部５０２とを連結する中継端子部６０２ａ、６０２ｂが配置され、接続配線６０３ａ、６０３ｂによって接続されている。
【０１６０】
ターミナル収納域６０１内について説明すると、中継端子部６０２ａ、６０２ｂは互いに接触しないように内部壁６０５によって区画形成されている。中継端子部６０２ａ、６０２ｂに接続される接続配線６０３ａ、６０３ｂは２重絶縁構造に形成されている。
【０１６１】
コイル収納域６００内について説明すると、上記の記載に加えて、誘導加熱コイル１０２の温度を検知する２つの誘導加熱コイルサーミスタ１０５ａ、１０５ｂが誘導加熱コイル１０２のほぼ左右対称位置に配置されている。誘導加熱コイルサーミスタ１０５ａ、１０５ｂは商品誘導加熱制御部５０２に接続配線されて制御されている。
【０１６２】
上記のコイルケース１０１ａの構成について、動作と作用を説明する。
【０１６３】
誘導加熱装置１００が運転されると、コイルケース内のコイル収納域６００およびターミナル収納域６０１は高電圧がかかり、誘導加熱コイル１０２は約１００℃〜１６０℃の高温となり、コイル収納域６００およびターミナル収納域６０１は高温状態になる。したがって、コイル収納域６００とターミナル収納域６０１とが左右に区画壁６０４によって区画形成されているので、誘導加熱コイル１０２と中継端子部６０２とがショートするのを防止でき、また中継端子部６０２が外れてコイル収納域６００に入り、他の部品との接触を回避することができるので、安全性を確保することができる。
【０１６４】
ターミナル収納域６０１内は樹脂製の内部壁６０５によって中継端子部６０２ａ、６０２ｂ同士がショートしないように内部壁６０５によって区画形成されているので、製造時の取り付けバラツキによる接触を阻止することができる。
【０１６５】
また、中継端子部６０２ａ、６０２ｂから商品誘導加熱制御部５０２に連結される接続配線６０３ａ、６０３ｂは２重絶縁構造に構成されているので、被覆強度をアップし、他の部品との接触による接続配線の損傷や、特に屋外設置における外気温度の変動による経年劣化での被覆面の破れ等を低減することができ、漏電やショートなどによる利用者への安全確保または誘導加熱装置１００の品質信頼性向上を確保することができる。
【０１６６】
次に、コイル収納域６００内について説明すると、誘導加熱コイル１０２は商品加熱時、上記のように高温状態になるため、強制冷却によって誘導加熱コイル１０２を常に冷却しているが、安全性を高めるために誘導加熱コイルサーミスタ１０５によって監視している。実施例の場合、２つの誘導加熱コイルサーミスタ１０５ａ、１０５ｂを誘導加熱コイル１０２の裏面に左右両側に配置し、両方の誘導加熱コイルサーミスタ１０５ａ、１０５ｂで温度検知を行っている。
【０１６７】
そして、たとえば誘導加熱コイルサーミスタ１０５ａ、１０５ｂのうち、一方の誘導加熱コイルサーミスタ１０５ａが基準温度１２０℃を超えた場合、誘導加熱コイル１０２への通電を停止し、基準温度以下になれば、運転を開始する。このように両方の誘導加熱コイルサーミスタ１０５ａ、１０５ｂが基準温度以下にないと、運転を停止するので発煙、発火等の災害を未然に防止し安全性を高めることができる。
【０１６８】
また仮に一方の誘導加熱コイルサーミスタ１０５ａが暴走し、適正温度検知が不能になった場合でも、他方の誘導加熱コイルサーミスタ１０５ｂにより温度制御できるので、安全性を維持することができる。
【０１６９】
また、誘導加熱コイルサーミスタ１０５ａ、１０５ｂは両方とも商品誘導加熱制御部５０２に接続されて制御されるとしたが、一方の誘導加熱コイルサーミスタ１０５ａのみを自動販売機の主制御部５０１に接続し、誘導加熱コイルサーミスタの制御部をそれぞれ異ならせることで、商品誘導加熱制御部５０２が暴走し、誘導加熱コイルサーミスタ１０５ｂの制御が不能になった場合でも、誘導加熱コイルサーミスタ１０５ａは別の主制御部５０１で制御されているので、正常に制御を行うことができ、両方の誘導加熱コイルサーミスタ１０５ａ、１０５ｂが制御部の暴走によって、すべて適正温度検知不能になるのを防止することができ、さらに安全性を高めることができる。
【０１７０】
なお、本実施の形態においては、２つの誘導加熱コイルサーミスタ１０５ａ、１０５ｂの設置位置を缶商品の倒置される長手方向に合わせて誘導加熱コイル１０２のほぼ左右対称位置としたが、誘導加熱コイル１０２周辺の温度分布からみてより好ましい代表位置があればこれに限定されるものではなく、また、検出精度に問題がなければ、上下などの配置にしたり、正確な対称位置関係でなくとも誘導加熱コイル１０２を間に挟んだ位置関係にある任意の配置にすることも可能である。
【０１７１】
また、誘導加熱コイル１０２の形状は、缶商品の倒置方向に合わせて延出する巻き形状とすれば加熱効率上好ましい方向とはなるが、必ずしも本実施の形態のように楕円形状に巻かれることを必ずしも要さず、構造上や性能，品質上の他の因子と兼ね合わせて総合的に形状を決定すればよい。したがって、誘導加熱コイルサーミスタ１０５ａ、１０５ｂの設置位置も誘導加熱コイル１０２の形状との関係にとらわれずに決定すればよい。
【産業上の利用可能性】
【０１７２】
以上のように本発明にかかる缶商品の誘導加熱装置は、缶商品の大小に関わらず加熱姿勢を安定させて品質の安定した均一加熱を効率よく行うことができ、誘導加熱コイルの安全性を確保した構成を付加することができることも併せて、自動販売機や携帯用缶加熱装置として広く適用できる。
【図面の簡単な説明】
【０１７３】
【図１】本発明の実施の形態１を示す缶商品の誘導加熱装置を備えた自動販売機の正面図
【図２】同実施の形態の自動販売機の縦断面図
【図３】同実施の形態の自動販売機における缶商品の誘導加熱装置の斜視図
【図４】同実施の形態の自動販売機における缶商品の誘導加熱装置の正面図
【図５】図４の矢視Ａの側面図
【図６】図４の矢視Ａの側面図
【図７】図４のＢ−Ｂ線の断面図
【図８】図４の矢視Ｃの側面図
【図９】同実施の形態の自動販売機における缶商品の誘導加熱装置の搬出機構を示す図
【図１０】本発明の実施の形態２の自動販売機における外扉の裏面斜視図
【図１１】同実施の形態の自動販売機における缶商品の誘導加熱装置の斜視図
【図１２】同実施の形態の自動販売機における誘導加熱装置の要部斜視図
【図１３】同実施の形態の自動販売機における誘導加熱装置の要部斜視図
【図１４】同実施の形態の自動販売機における誘導加熱装置の正面要部断面図
【図１５】図１４の要部拡大図
【図１６】同実施の形態の風路構成図
【図１７】同実施の形態の要部斜視図
【図１８】同実施の形態のコイルケース内の構成図
【図１９】従来の誘導加熱装置の縦断面図
【図２０】従来の誘導加熱式缶商品加熱装置の構成図
【符号の説明】
【０１７４】
１１  自動販売機本体
１１ａ  商品収納室
１２  外扉（扉）
１７  誘導加熱装置
１９  商品受台
２０  誘導加熱コイル
２１，１０３  下部ローラ（回転手段）
２２  下部ローラ駆動モータ
３０  商品姿勢制御部材
３１  上部ローラ
３３  搬出部材（搬出機構）
４０  開閉部材
４３  非接触式温度検知手段（温度検知手段）
１００  誘導加熱装置
１０１ａ  コイルケース
１０１ｂ  コイルケース本体
１０２  誘導加熱コイル
１０５ａ，１０５ｂ  誘導加熱コイルサーミスタ（誘導加熱コイルセンサー）
６００  コイル収納域
６０１  ターミナル収納域
６０２ａ，６０２ｂ  中継端子部
６０３ａ，６０３ｂ  接続配線
【図１】
2008102581.tif 000003
【図２】
2008102581.tif 000004
【図３】
2008102581.tif 000005
【図４】
2008102581.tif 000006
【図５】
2008102581.tif 000007
【図６】
2008102581.tif 000008
【図７】
2008102581.tif 000009
【図８】
2008102581.tif 000010
【図９】
2008102581.tif 000011
【図１０】
2008102581.tif 000012
【図１１】
2008102581.tif 000013
【図１２】
2008102581.tif 000014
【図１３】
2008102581.tif 000015
【図１４】
2008102581.tif 000016
【図１５】
2008102581.tif 000017
【図１６】
2008102581.tif 000018
【図１７】
2008102581.tif 000019
【図１８】
2008102581.tif 000020
【図１９】
2008102581.tif 000021
【図２０】
2008102581.tif 000022